(57)【要約】  本発明は、ＰｃｅｌｌまたはＰＳｃｅｌｌを管理するための方法および装置を開示し、ＰｃｅｌｌまたはＰＳｃｅｌｌのハンドオーバが従来技術のＣＵ−ＤＵアーキテクチャの下で効果的に管理されないという技術的問題を解決し、タイムリーで効率的なＰｃｅｌｌまたはＰＳｃｅｌｌハンドオーバーポリシーを提供することにより、通信システムリソースの利用効率が向上する。前記方法は、ＣＵは、ＵＥのＰｃｅｌｌまたはＰＳｃｅｌｌを決定するステップと、ＣＵは、ＤＵにＰＣｅｌｌ/ＰＳＣｅｌｌ変更メッセージを送信するステップとを備え、ここで、ＰＣｅｌｌ/ＰＳＣｅｌｌ変更メッセージは、ＰｃｅｌｌまたはＰＳｃｅｌｌとしてハンドオーバする必要があるセルｃｅｌｌのセル識別子を含み、前記ＣＵとＤＵは、前記ＵＥに対してともにサービシングする。
2021503251.tif 000002
【特許請求の範囲】
【請求項１】
中央ユニット（ＣＵ）は、ユーザ機器（ＵＥ）のＰｃｅｌｌまたはＰＳｃｅｌｌを決定するステップと、
前記ＣＵは、分散ユニット（ＤＵ）にＰＣｅｌｌ/ＰＳＣｅｌｌ変更メッセージを送信するステップとを備え、
前記ＰＣｅｌｌ/ＰＳＣｅｌｌ変更メッセージは、ＰｃｅｌｌまたはＰＳｃｅｌｌとしてハンドオーバする必要があるセルｃｅｌｌのセル識別子を含み、前記ＣＵおよび前記ＤＵは、ともに前記ＵＥに対してサービシングすることを特徴とするプライマリセル（Ｐｃｅｌｌ）またはプライマリセカンダリセル（ＰＳｃｅｌｌ）を管理するための方法。
【請求項２】
前記ＣＵがＤＵにＰＣｅｌｌ/ＰＳＣｅｌｌ変更メッセージを送信した後、
前記ＣＵは、前記ＤＵによって送信されたＰｃｅｌｌまたはＰＳｃｅｌｌハンドオーバに必要なレイヤ２構成情報を受信し、前記レイヤ２構成情報は、ＰｃｅｌｌまたはＰＳｃｅｌｌハンドオーバに必要な構成パラメータ情報を含み、
前記ＣＵは、前記レイヤ２構成情報に従って無線リソース制御ＲＲＣメッセージを生成し、
前記ＣＵは、前記ＲＲＣメッセージを前記ＵＥに送信することを特徴とする請求項１に記載のプライマリセル（Ｐｃｅｌｌ）またはプライマリセカンダリセル（ＰＳｃｅｌｌ）を管理するための方法。
【請求項３】
前記ＣＵは、前記ＲＲＣメッセージを前記ＵＥに送信することは、
前記ＣＵは、前記ＲＲＣメッセージを前記ＤＵに送信することにより、前記ＤＵに前記ＲＲＣメッセージを前記ＵＥに送信させるようにすることを含むことを特徴とする請求項２に記載のプライマリセル（Ｐｃｅｌｌ）またはプライマリセカンダリセル（ＰＳｃｅｌｌ）を管理するための方法。
【請求項４】
ＰＳｃｅｌｌが決定されたものである場合、前記ＣＵは、前記ＲＲＣメッセージを前記ＵＥに送信することは、
前記ＭｅＮＢを通じて前記ＲＲＣメッセージを前記ＵＥに送信するために、前記ＣＵは、前記ＲＲＣメッセージを、前記ＵＥに対してサービシングするマスターｅＮＢ（ＭｅＮＢ）に送信することを含むことを特徴とする請求項２に記載のプライマリセル（Ｐｃｅｌｌ）またはプライマリセカンダリセル（ＰＳｃｅｌｌ）を管理するための方法。
【請求項５】
前記ＣＵは、前記レイヤ２構成情報に従ってＲＲＣメッセージを生成した後、
前記ＣＵは、前記ＤＵにレイヤ２リセット指示情報を送信し、前記レイヤ２リセット指示情報は、前記ＤＵがレイヤ２リセットを実行することを示すことを特徴とする請求項２に記載のプライマリセル（Ｐｃｅｌｌ）またはプライマリセカンダリセル（ＰＳｃｅｌｌ）を管理するための方法。
【請求項６】
前記ＣＵが前記ＤＵにレイヤ２リセット指示情報を送信した後、
前記ＣＵは、前記ＤＵによって送信されたリセットフィードバックメッセージを受信し、前記リセットフィードバックメッセージは、各無線リソースベアラＤＲＢの新しく割り当てられたダウンリンク送信アドレスを含むことを特徴とする請求項５に記載のプライマリセル（Ｐｃｅｌｌ）またはプライマリセカンダリセル（ＰＳｃｅｌｌ）を管理するための方法。
【請求項７】
前記ＣＵが前記ＲＲＣメッセージを前記ＵＥに送信した後、
前前記ＵＥがＰｃｅｌｌまたはＰＳｃｅｌｌハンドオーバのハンドオーバを完了したことを決定するために、記ＣＵは、前記ＵＥによって送信されたＲＲＣ再構成完了メッセージを受信することを特徴とする請求項２に記載のプライマリセル（Ｐｃｅｌｌ）またはプライマリセカンダリセル（ＰＳｃｅｌｌ）を管理するための方法。
【請求項８】
前記ＣＵが前記ＵＥによって送信されたＲＲＣ再構成完了メッセージを受信した後、
前記ＣＵは、前記ＤＵにセルハンドオーバ完了メッセージを送信し、前記セルハンドオーバ完了メッセージは、前記ＵＥがＰｃｅｌｌまたはＰＳｃｅｌｌハンドオーバのハンドオーバを完了したことを示すことを特徴とする請求項７に記載のプライマリセル（Ｐｃｅｌｌ）またはプライマリセカンダリセル（ＰＳｃｅｌｌ）を管理するための方法。
【請求項９】
ＣＵがＵＥのＰｃｅｌｌまたはＰＳｃｅｌｌを決定することは、
前記ＣＵは、前記ＵＥに対してサービシングするｃｅｌｌのサービス負荷情報、物理アップリンク制御チャネルＰＵＣＣＨ負荷状態情報および前記ＵＥの信号品質との３種類のパラメータ情報を取得することと、
前記ＣＵは、前記３種類のパラメータ情報によって示す平均パラメータインデックス最良のｃｅｌｌを、ＰｃｅｌｌまたはＰＳｃｅｌｌとして決定することとを含むことを特徴とする請求項１から請求項８のいずれか一項に記載のプライマリセル（Ｐｃｅｌｌ）またはプライマリセカンダリセル（ＰＳｃｅｌｌ）を管理するための方法。
【請求項１０】
前記ＣＵが、前記ＵＥに対してサービシングするｃｅｌｌのＰＵＣＣＨ負荷状態情報を取得することは、
前記ＣＵは、前記ＤＵにＰＵＣＣＨ負荷報告要求情報を送信することと、
前記ＣＵによって要求されるＰＵＣＣＨ負荷報告要求をＤＵが実行できることを決定するために、ＣＵは、前記ＤＵによって送信されたＰＵＣＣＨ負荷報告応答情報を受信することと、
前記ＣＵは、前記ＤＵによって送信されたＰＵＣＣＨ負荷状態情報を受信することとを含み、
前記ＰＵＣＣＨ負荷報告要求情報は、前記ＵＥに対してサービシングするｃｅｌｌ情報を含むことを特徴とする請求項９に記載のプライマリセル（Ｐｃｅｌｌ）またはプライマリセカンダリセル（ＰＳｃｅｌｌ）を管理するための方法。
【請求項１１】
分散ユニット（ＤＵ）は、ユーザ機器（ＵＥ）のＰｃｅｌｌまたはＰＳｃｅｌｌを決定し、
前記ＤＵは、レイヤ２構成情報を生成し、前記レイヤ２構成情報は、ＰｃｅｌｌまたはＰＳｃｅｌｌハンドオーバに必要な構成パラメータ情報を含み、
前記ＤＵは、前記レイヤ２構成情報を中央ユニット（ＣＵ）に送信し、前記ＣＵおよび前記ＤＵは、ともに前記ＵＥに対してサービシングすることを特徴とするプライマリセル（Ｐｃｅｌｌ）またはプライマリセカンダリセル（ＰＳｃｅｌｌ）を管理するための方法。
【請求項１２】
前記ＤＵが前記レイヤ２構成情報をＣＵに送信した後、
前記ＤＵは、前記ＣＵによって送信されたＲＲＣメッセージを受信し、
前記ＤＵは、前記ＲＲＣメッセージを前記ＵＥに送信することを特徴とする請求項１１に記載のプライマリセル（Ｐｃｅｌｌ）またはプライマリセカンダリセル（ＰＳｃｅｌｌ）を管理するための方法。
【請求項１３】
前記ＤＵが前記レイヤ２構成情報をＣＵに送信した後、
前記ＤＵは、前記ＣＵによって送信されたレイヤ２リセット指示情報を受信し、
前記ＤＵは、前記レイヤ２リセット指示情報に従ってレイヤ２リセットを実行することを特徴とする請求項１１に記載のプライマリセル（Ｐｃｅｌｌ）またはプライマリセカンダリセル（ＰＳｃｅｌｌ）を管理するための方法。
【請求項１４】
前記ＤＵが、前記レイヤ２リセット指示情報に従ってレイヤ２リセットを実行した後、
前記ＤＵは、リセットフィードバックメッセージを生成し、前記リセットフィードバックメッセージは、各無線リソースベアラＤＲＢの新しく割り当てられたダウンリンク送信アドレスを含み、
前記ＤＵは、前記リセットフィードバックメッセージを前記ＣＵに送信することを特徴とする請求項１３に記載のプライマリセル（Ｐｃｅｌｌ）またはプライマリセカンダリセル（ＰＳｃｅｌｌ）を管理するための方法。
【請求項１５】
前記ＤＵが、前記ＲＲＣメッセージを前記ＵＥに送信した後、
前記ＵＥがＰｃｅｌｌまたはＰＳｃｅｌｌハンドオーバを完了したことを決定するために、前記ＤＵは、前記ＣＵによって送信されたセルハンドオーバ完了メッセージを受信することを特徴とする請求項１２に記載のプライマリセル（Ｐｃｅｌｌ）またはプライマリセカンダリセル（ＰＳｃｅｌｌ）を管理するための方法。
【請求項１６】
ＤＵがＵＥのＰｃｅｌｌまたはＰＳｃｅｌｌを決定することは、
前記ＤＵは、前記ＵＥの無線リソース管理ＲＲＭ測定情報およびｃｅｌｌのアップリンクチャネル推定結果との２種類のパラメータ情報を取得することと、
前記ＤＵは、ＰｃｅｌｌまたはＰＳｃｅｌｌとして、前記２種類のパラメータ情報によって示す平均パラメータインデックス最良のｃｅｌｌを決定することとを含むことを特徴とする請求項１１から請求項１５のいずれか一項に記載のプライマリセル（Ｐｃｅｌｌ）またはプライマリセカンダリセル（ＰＳｃｅｌｌ）を管理するための方法。
【請求項１７】
前記ＤＵが前記ＵＥのＲＲＭ測定情報を取得することは、
前記ＤＵは、前記ＣＵに前記ＵＥの機器識別子を運ぶＲＲＭ測定要求メッセージを送信することと、
前記ＣＵが前記ＣＵに必要な測定を実行できることを決定するために、前記ＤＵは、前記ＣＵによって送信されたＲＲＭ測定応答情報を受信することと、
前記ＤＵは、前記ＣＵによって送信された前記ＵＥの最新のＲＲＭ測定結果を受信することとを含むことを特徴とする請求項１６に記載のプライマリセル（Ｐｃｅｌｌ）またはプライマリセカンダリセル（ＰＳｃｅｌｌ）を管理するための方法。
【請求項１８】
ユーザ機器（ＵＥ）のＰｃｅｌｌまたはＰＳｃｅｌｌを決定するように構成されたプロセッサと、
分散ユニット（ＤＵ）にＰＣｅｌｌ/ＰＳＣｅｌｌ変更メッセージを送信するように構成された通信インターフェースとを備え、
前記ＰＣｅｌｌ/ＰＳＣｅｌｌ変更メッセージは、ＰｃｅｌｌまたはＰＳｃｅｌｌとしてハンドオーバする必要があるセルｃｅｌｌのセル識別子を含み、前記と前記ＤＵがともに前記ＵＥに対してサービシングすることを特徴とするプライマリセル（Ｐｃｅｌｌ）またはプライマリセカンダリセル（ＰＳｃｅｌｌ）を管理するための装置。
【請求項１９】
前記通信インターフェースはさらに、前記ＤＵによって送信されたＰｃｅｌｌまたはＰＳｃｅｌｌハンドオーバに必要なレイヤ２構成情報を受信し、前記レイヤ２構成情報は、ＰｃｅｌｌまたはＰＳｃｅｌｌハンドオーバに必要な構成パラメータ情報を含み、
前記プロセッサはさらに、前記レイヤ２構成情報に従って無線リソース制御ＲＲＣメッセージを生成し、
前記装置は、前記ＲＲＣメッセージを前記ＵＥに送信するように構成された受信機をさらに備えることを特徴とする請求項１８に記載のプライマリセル（Ｐｃｅｌｌ）またはプライマリセカンダリセル（ＰＳｃｅｌｌ）を管理するための装置。
【請求項２０】
前記通信インターフェースはさらに、
前記ＤＵを通じて前記ＲＲＣメッセージを前記ＵＥに送信するために、前記ＲＲＣメッセージを前記ＤＵに送信することを特徴とする請求項１９に記載のプライマリセル（Ｐｃｅｌｌ）またはプライマリセカンダリセル（ＰＳｃｅｌｌ）を管理するための装置。
【請求項２１】
ＰＳｃｅｌｌが決定されたものである場合、前記通信インターフェースはさらに、
前記ＭｅＮＢを通じて前記ＲＲＣメッセージを前記ＵＥに送信するために、前記ＲＲＣメッセージを前記ＵＥに対してサービシングするマスターｅＮＢ（ＭｅＮＢ）に送信することを特徴とする請求項１９に記載のプライマリセル（Ｐｃｅｌｌ）またはプライマリセカンダリセル（ＰＳｃｅｌｌ）を管理するための装置。
【請求項２２】
前記通信インターフェースはさらに、
前記ＤＵにレイヤ２リセット指示情報を送信し、前記レイヤ２リセット指示情報は、前記ＤＵがレイヤ２リセットを実行することを示すことを特徴とする請求項１９に記載のプライマリセル（Ｐｃｅｌｌ）またはプライマリセカンダリセル（ＰＳｃｅｌｌ）を管理するための装置。
【請求項２３】
前記通信インターフェースはさらに、
前記ＤＵによって送信されたリセットフィードバックメッセージを受信し、前記リセットフィードバックメッセージは、各無線リソースベアラＤＲＢの新しく割り当てられたダウンリンク送信アドレスを含むことを特徴とする請求項２２に記載のプライマリセル（Ｐｃｅｌｌ）またはプライマリセカンダリセル（ＰＳｃｅｌｌ）を管理するための装置。
【請求項２４】
前記受信機はさらに、前記ＵＥがＰｃｅｌｌまたはＰＳｃｅｌｌハンドオーバを完了したことを決定するために、前記ＵＥによって送信されたＲＲＣ再構成完了メッセージを受信することを特徴とする請求項１９に記載のプライマリセル（Ｐｃｅｌｌ）またはプライマリセカンダリセル（ＰＳｃｅｌｌ）を管理するための装置。
【請求項２５】
前記通信インターフェースはさらに、
前記ＤＵにセルハンドオーバ完了メッセージを送信し、前記セルハンドオーバ完了メッセージは、前記ＵＥがＰｃｅｌｌまたはＰＳｃｅｌｌハンドオーバのハンドオーバを完了したことを示すことを特徴とする請求項２４に記載のプライマリセル（Ｐｃｅｌｌ）またはプライマリセカンダリセル（ＰＳｃｅｌｌ）を管理するための装置。
【請求項２６】
プロセッサはさらに、前記ＤＵにセルハンドオーバ完了メッセージを送信し、
ＰｃｅｌｌまたはＰＳｃｅｌｌとして、前記３種類のパラメータ情報によって示す平均パラメータインデックス最良のｃｅｌｌを決定することを特徴とする請求項１８から請求項２５のいずれか一項に記載のプライマリセル（Ｐｃｅｌｌ）またはプライマリセカンダリセル（ＰＳｃｅｌｌ）を管理するための装置。
【請求項２７】
前記通信インターフェースはさらに、
前記ＤＵにＰＵＣＣＨ負荷報告要求情報を送信し、前記ＰＵＣＣＨ負荷報告要求情報は、前記ＵＥに対してサービシングするｃｅｌｌ情報を含み、
前記ＤＵが前記ＣＵによって要求されるＰＵＣＣＨ負荷報告要求を実行できることを決定するために、前記ＤＵによって送信されたＰＵＣＣＨ負荷報告応答情報を受信し、
前記ＤＵによって送信されたＰＵＣＣＨ負荷状態情報を受信することを特徴とする請求項２６に記載のプライマリセル（Ｐｃｅｌｌ）またはプライマリセカンダリセル（ＰＳｃｅｌｌ）を管理するための装置。
【請求項２８】
ユーザ機器（ＵＥ）のＰｃｅｌｌまたはＰＳｃｅｌｌを決定し、かつ、レイヤ２構成情報を生成するように構成されたプロセッサと、
前記レイヤ２構成情報を中央ユニット（ＣＵ）に送信するように構成された通信インターフェースとを備え、
前記レイヤ２構成情報は、ＰｃｅｌｌまたはＰＳｃｅｌｌハンドオーバに必要な構成パラメータ情報を含み、
前記ＣＵおよび前記ＤＵは、ともに前記ＵＥに対してサービシングすることを特徴とするプライマリセル（Ｐｃｅｌｌ）またはプライマリセカンダリセル（ＰＳｃｅｌｌ）を管理するための装置。
【請求項２９】
前記通信インターフェースはさらに、前記ＣＵによって送信されたＲＲＣメッセージを受信し、
前記装置は、前記ＲＲＣメッセージを前記ＵＥに送信するように構成された前記受信機をさらに備えることを特徴とする請求項２８に記載のプライマリセル（Ｐｃｅｌｌ）またはプライマリセカンダリセル（ＰＳｃｅｌｌ）を管理するための装置。
【請求項３０】
前記通信インターフェースはさらに、前記ＣＵによって送信されたレイヤ２リセット指示情報を受信し、
前記プロセッサはさらに、前記レイヤ２リセット指示情報に従ってレイヤ２リセットを実行することを特徴とする請求項２８に記載のプライマリセル（Ｐｃｅｌｌ）またはプライマリセカンダリセル（ＰＳｃｅｌｌ）を管理するための装置。
【請求項３１】
前記プロセッサはさらに、リセットフィードバックメッセージを生成し、前記リセットフィードバックメッセージは、各無線リソースベアラＤＲＢの新しく割り当てられたダウンリンク送信アドレスを含み、
前記通信インターフェースはさらに、前記リセットフィードバックメッセージを前記ＣＵに送信することを特徴とする請求項３１に記載のプライマリセル（Ｐｃｅｌｌ）またはプライマリセカンダリセル（ＰＳｃｅｌｌ）を管理するための装置。
【請求項３２】
前記通信インターフェースはさらに、
前記ＵＥがＰｃｅｌｌまたはＰＳｃｅｌｌハンドオーバを完了したことを決定するために、前記ＣＵによって送信されたセルハンドオーバ完了メッセージを受信することを特徴とする請求項２９に記載のプライマリセル（Ｐｃｅｌｌ）またはプライマリセカンダリセル（ＰＳｃｅｌｌ）を管理するための装置。
【請求項３３】
前記プロセッサは、
前記ＵＥの無線リソース管理ＲＲＭ測定情報およびｃｅｌｌのアップリンクチャネル推定結果との２種類のパラメータ情報を受信し、
ＰｃｅｌｌまたはＰＳｃｅｌｌとして、前記２種類のパラメータ情報によって示す平均パラメータインデックス最良のｃｅｌｌを決定することを特徴とする請求項２８から請求項３２のいずれか一項に記載のプライマリセル（Ｐｃｅｌｌ）またはプライマリセカンダリセル（ＰＳｃｅｌｌ）を管理するための装置。
【請求項３４】
前記通信インターフェースはさらに、
前記ＣＵに前記ＵＥの機器識別子を運ぶＲＲＭ測定要求メッセージを送信し、
前記ＣＵに前記ＵＥの機器識別子を運ぶＲＲＭ測定要求メッセージを送信し、
前記ＣＵによって送信された前記ＵＥの最新のＲＲＭ測定結果を受信することを特徴とする請求項３３に記載のプライマリセル（Ｐｃｅｌｌ）またはプライマリセカンダリセル（ＰＳｃｅｌｌ）を管理するための装置。
【請求項３５】
ユーザ機器（ＵＥ）のＰｃｅｌｌまたはＰＳｃｅｌｌを決定するように構成された決定モジュールと、
分散ユニット（ＤＵ）にＰＣｅｌｌ/ＰＳＣｅｌｌ変更メッセージを送信するように構成された第１の送信モジュールとを備え、
前記ＰＣｅｌｌ/ＰＳＣｅｌｌ変更メッセージは、ＰｃｅｌｌまたはＰＳｃｅｌｌとしてハンドオーバする必要があるセルｃｅｌｌのセル識別子を含み、前記ＣＵおよび前記ＤＵは、ともに前記ＵＥに対してサービシングすることを特徴とするプライマリセル（Ｐｃｅｌｌ）またはプライマリセカンダリセル（ＰＳｃｅｌｌ）を管理するための装置。
【請求項３６】
ユーザ機器（ＵＥ）のＰｃｅｌｌまたはＰＳｃｅｌｌを決定するように構成された決定モジュールと、
レイヤ２構成情報を生成するように構成された第１の生成モジュールと、
前記レイヤ２構成情報を中央ユニット（ＣＵ）に送信するように構成された第１の送信モジュールと、
前記レイヤ２構成情報は、ＰｃｅｌｌまたはＰＳｃｅｌｌハンドオーバに必要な構成パラメータ情報を含み、
前記ＣＵおよび前記ＤＵは、ともに前記ＵＥに対してサービシングすることを特徴とするプライマリセル（Ｐｃｅｌｌ）またはプライマリセカンダリセル（ＰＳｃｅｌｌ）を管理するための装置。
【請求項３７】
プロセッサによって実行されたときに、請求項１から請求項１０のいずれか一項に記載のプライマリセル（Ｐｃｅｌｌ）またはプライマリセカンダリセル（ＰＳｃｅｌｌ）を管理するための方法のステップを実施するコンピュータプログラムを記憶した可読記憶媒体。
【請求項３８】
プロセッサによって実行されたときに、請求項１１から請求項１７のいずれか一項に記載のプライマリセル（Ｐｃｅｌｌ）またはプライマリセカンダリセル（ＰＳｃｅｌｌ）を管理するための方法のステップを実施するコンピュータプログラムを記憶した可読記憶媒体。
【発明の詳細な説明】
【技術分野】
【０００１】
関連出願の相互参照
本出願は、２０１７年１１月１５日に中国特許局に提出し、出願番号が２０１７１１１３３０９３．５であり、発明名称が「ＰｃｅｌｌまたはＰＳｃｅｌｌを管理するための方法および装置」との中国特許出願を基礎とする優先権を主張し、その開示の総てをここに取り込む。
【０００２】
本発明は、通信技術分野に関し、特にＰｃｅｌｌまたはＰＳｃｅｌｌを管理するための方法および装置に関する。
【背景技術】
【０００３】
モバイル通信の将来の開発は、より多くの送信ノードおよびより大きな送信帯域幅を導入することになる、ユーザのニーズをよりよく満たすためのネットワーク容量およびスループットの改善に焦点を当てる。第５世代（５Ｇ）ネットワークでは、より大きな帯域幅とより高い伝送速度を得るために、小さな高周波ステーションを導入することは避けられない傾向である。これらの小さな高周波ステーションのローカル集中管理は集中処理の利得をもたらすため、中央ユニット（Ｃｅｎｔｒａｌ Ｕｎｉｔ，ＣＵ）-分散ユニット（Ｄｉｓｔｒｉｂｕｔｅｄ Ｕｎｉｔ，ＤＵ）アーキテクチャが導入されている。
【発明の概要】
【発明が解決しようとする課題】
【０００４】
従来技術では、すべての無線アクセスネットワーク（Ｒａｄｉｏ Ａｃｃｅｓｓ Ｎｅｔｗｏｒｋ，ＲＡＮ）操作は、進化型ノードＢ（Ｅｖｏｌｖｅｄ  ＮｏｄｅＢ，ｅＮＢ）で完了し、プロセスは非常に単純で明確である。ただし、ＣＵ−ＤＵアーキテクチャの導入後、ＣＵとＤＵがどのように連携してプライマリセル（Ｐｒｉｍａｒｙ ｃｅｌｌ，Ｐｃｅｌｌ）とプライマリセカンダリセル（Ｐｒｉｍａｒｙ Ｓｅｃｏｎｄａｒｙ ｃｅｌｌ，ＰＳｃｅｌｌ）のハンドオーバなどの重要な機能を実現するかについては、まだ成熟した解決案はない。
【課題を解決するための手段】
【０００５】
本発明の実施形態は、ＰｃｅｌｌまたはＰＳｃｅｌｌを管理するための方法および装置を提供し、ＰｃｅｌｌまたはＰＳｃｅｌｌのハンドオーバが従来技術のＣＵ−ＤＵアーキテクチャの下で効果的に管理されないという技術的問題を解決し、タイムリーで効率的なＰｃｅｌｌまたはＰＳｃｅｌｌハンドオーバーポリシーを提供することにより、通信システムリソースの利用効率が向上する。
【０００６】
第１の態様では、ＰｃｅｌｌまたはＰＳｃｅｌｌを管理するための方法が提供され、この方法は、
ＣＵは、ユーザ機器（Ｕｓｅｒ，ＵＥ）のＰｃｅｌｌまたはＰＳｃｅｌｌを決定するステップと、
前記ＣＵは、ＤＵにＰＣｅｌｌ/ＰＳＣｅｌｌ変更メッセージを送信するステップとを備え、
前記ＰＣｅｌｌ/ＰＳＣｅｌｌ変更メッセージは、ＰｃｅｌｌまたはＰＳｃｅｌｌにハンドオーバするためのｃｅｌｌ（セル）のセル識別子を含み、前記ＣＵおよび前記ＤＵは、ともに前記ＵＥに対してサービシングする。
【０００７】
任意選択で、前記ＣＵがＤＵにＰＣｅｌｌ/ＰＳＣｅｌｌ変更メッセージを送信した後、
前記ＣＵは、前記ＤＵによって送信されたＰｃｅｌｌまたはＰＳｃｅｌｌハンドオーバに必要なレイヤ２構成情報を受信し、前記レイヤ２構成情報は、ＰｃｅｌｌまたはＰＳｃｅｌｌハンドオーバに必要な構成パラメータ情報を含み、
前記ＣＵは、前記レイヤ２構成情報に従って無線リソース制御（Ｒａｄｉｏ Ｒｅｓｏｕｒｃｅ Ｃｏｎｔｒｏｌ，ＲＲＣ）メッセージを生成し、
前記ＣＵは、前記ＲＲＣメッセージを前記ＵＥに送信する。
【０００８】
任意選択で、前記ＣＵは、前記ＲＲＣメッセージを前記ＵＥに送信することは、
前記ＣＵは、前記ＲＲＣメッセージを前記ＤＵに送信することにより、前記ＤＵに前記ＲＲＣメッセージを前記ＵＥに送信させるようにする。
【０００９】
任意選択で、ＰＳｃｅｌｌが決定されたものである場合、前記ＣＵは、前記ＲＲＣメッセージを前記ＵＥに送信することは、
前記ＣＵは、前記ＲＲＣメッセージを前記ＵＥに対してサービシングするマスターｅＮＢ（Ｍａｓｔｅｒ ｅＮＢ，ＭｅＮＢ）に送信することにより、前記ＭｅＮＢに前記ＲＲＣメッセージを前記ＵＥに送信するようにする。
【００１０】
任意選択で、前記ＣＵは、前記レイヤ２構成情報に従ってＲＲＣメッセージを生成した後、
前記ＣＵは、前記ＤＵにレイヤ２リセット指示情報を送信し、前記レイヤ２リセット指示情報は、前記ＤＵがレイヤ２リセットを実行することを示す。
【００１１】
任意選択で、前記ＣＵが前記ＤＵにレイヤ２リセット指示情報を送信した後、
前記ＣＵは、前記ＤＵによって送信されたリセットフィードバックメッセージを受信し、前記リセットフィードバックメッセージは、各無線リソースベアラ（Ｄａｔａ Ｒａｄｉｏ Ｂｅａｒｅｒ，ＤＲＢ）の新しく割り当てられたダウンリンク送信アドレスを含む。
【００１２】
任意選択で、前記ＣＵが前記ＲＲＣメッセージを前記ＵＥに送信した後、
前前記ＵＥがＰｃｅｌｌまたはＰＳｃｅｌｌハンドオーバのハンドオーバを完了したことを決定するために、記ＣＵは、前記ＵＥによって送信されたＲＲＣ再構成完了メッセージを受信する。
【００１３】
任意選択で、前記ＣＵが前記ＵＥによって送信されたＲＲＣ再構成完了メッセージを受信した後、
前記ＣＵは、前記ＤＵにセルハンドオーバ完了メッセージを送信し、前記セルハンドオーバ完了メッセージは、前記ＵＥがＰｃｅｌｌまたはＰＳｃｅｌｌハンドオーバのハンドオーバを完了したことを示す。
【００１４】
任意選択で、ＣＵがＵＥのＰｃｅｌｌまたはＰＳｃｅｌｌを決定することは、
前記ＣＵは、前記ＵＥに対してサービシングするｃｅｌｌのサービス負荷情報および物理アップリンク制御チャネル（Ｐｈｙｓｉｃａｌ Ｕｐｌｉｎｋ Ｃｏｎｔｒｏｌ Ｃｈａｎｎｅｌ，ＰＵＣＣＨ）負荷状態情報、ならびに前記ＵＥの信号品質との３種類のパラメータ情報を取得し、
前記ＣＵは、前記３種類のパラメータ情報によって示す平均パラメータインデックス最良のｃｅｌｌを、ＰｃｅｌｌまたはＰＳｃｅｌｌとして決定する。
【００１５】
任意選択で、前記ＣＵが前記ＵＥに対してサービシングするｃｅｌｌのＰＵＣＣＨ負荷状態情報を取得することは、
前記ＣＵは、前記ＤＵにＰＵＣＣＨ負荷報告要求情報を送信し、前記ＰＵＣＣＨ負荷報告要求情報は、前記ＵＥに対してサービシングするｃｅｌｌ情報を含み、
前記ＣＵによって要求されるＰＵＣＣＨ負荷報告要求をＤＵが実行できることを決定するために、ＣＵは、前記ＤＵによって送信されたＰＵＣＣＨ負荷報告応答情報を受信し、
前記ＣＵは、前記ＤＵによって送信されたＰＵＣＣＨ負荷状態情報を受信する。
【００１６】
第２の態様では、別のＰｃｅｌｌまたはＰＳｃｅｌｌを管理するための方法が提供され、前記方法は、
ＤＵは、ＵＥのＰｃｅｌｌまたはＰＳｃｅｌｌを決定するステップと、
前記ＤＵは、前記レイヤ２構成情報を中央ユニット（ＣＵ）に送信し、前記ＣＵおよび前記ＤＵは、ともに前記ＵＥに対してサービシングするステップとを備え、
前記ＤＵは、レイヤ２構成情報を生成するステップと、前記レイヤ２構成情報は、ＰｃｅｌｌまたはＰＳｃｅｌｌハンドオーバに必要な構成パラメータ情報を含む。
【００１７】
任意選択で、前記ＤＵが前記レイヤ２構成情報をＣＵに送信した後、
前記ＤＵは、前記ＣＵによって送信されたＲＲＣメッセージを受信し、
前記ＤＵは、前記ＲＲＣメッセージを前記ＵＥに送信する。
【００１８】
任意選択で、前記ＤＵが前記レイヤ２構成情報をＣＵに送信した後、
前記ＤＵは、前記ＣＵによって送信されたレイヤ２リセット指示情報を受信し、
前記ＤＵは、前記レイヤ２リセット指示情報に従ってレイヤ２リセットを実行する。
【００１９】
任意選択で、前記ＤＵが、前記レイヤ２リセット指示情報に従ってレイヤ２リセットを実行した後、
前記ＤＵは、リセットフィードバックメッセージを生成し、前記リセットフィードバックメッセージは、各ＤＲＢの新しく割り当てられたダウンリンク送信アドレスを含み、
前記ＤＵは、前記リセットフィードバックメッセージを前記ＣＵに送信する。
【００２０】
任意選択で、前記ＤＵが、前記ＲＲＣメッセージを前記ＵＥに送信した後、
前記ＵＥがＰｃｅｌｌまたはＰＳｃｅｌｌハンドオーバを完了したことを決定するために、前記ＤＵは、前記ＣＵによって送信されたセルハンドオーバ完了メッセージを受信する。
【００２１】
任意選択で、ＤＵがＵＥのＰｃｅｌｌまたはＰＳｃｅｌｌを決定することは、
前記ＤＵは、前記ＵＥの無線リソース管理（Ｒａｄｉｏ Ｒｅｓｏｕｒｃｅ Ｍａｎａｇｅｍｅｎｔ，ＲＲＭ）測定情報およびｃｅｌｌのアップリンクチャネル推定結果との２種類のパラメータ情報を取得し、
前記ＤＵは、ＰｃｅｌｌまたはＰＳｃｅｌｌとして、前記２種類のパラメータ情報によって示す平均パラメータインデックス最良のｃｅｌｌを決定する。
【００２２】
任意選択で、前記ＤＵが前記ＵＥのＲＲＭ測定情報を取得することは、
前記ＤＵは、前記ＣＵに前記ＵＥの機器識別子を運ぶＲＲＭ測定要求メッセージを送信することと、
前記ＣＵが前記Ｃに必要な測定を実行できることを決定するために、前記ＤＵは、前記ＣＵによって送信されたＲＲＭ測定応答情報を受信することと、
前記ＤＵは、前記ＣＵによって送信された前記ＵＥの最新のＲＲＭ測定結果を受信することとを備える。
【００２３】
第３の態様では、ＰｃｅｌｌまたはＰＳｃｅｌｌを管理するための装置が提供される。  
【００２４】
前記装置は、
ＵＥのＰｃｅｌｌまたはＰＳｃｅｌｌを決定するように構成されたプロセッサと、
ＤＵにＰＣｅｌｌ/ＰＳＣｅｌｌ変更メッセージを送信するように構成された通信インターフェースとを備え、
前記ＰＣｅｌｌ/ＰＳＣｅｌｌ変更メッセージは、ＰｃｅｌｌまたはＰＳｃｅｌｌとしてハンドオーバする必要があるセルｃｅｌｌのセル識別子を含み、前記と前記ＤＵがともに前記ＵＥに対してサービシングする。
【００２５】
任意選択で、前記通信インターフェースはさらに、前記ＤＵによって送信されたＰｃｅｌｌまたはＰＳｃｅｌｌハンドオーバに必要なレイヤ２構成情報を受信し、前記レイヤ２構成情報は、ＰｃｅｌｌまたはＰＳｃｅｌｌハンドオーバに必要な構成パラメータ情報を含み、
前記プロセッサはさらに、前記レイヤ２構成情報に従ってＲＲＣメッセージを生成し、
前記装置は、前記ＲＲＣメッセージを前記ＵＥに送信するように構成された受信機をさらに備える。
【００２６】
任意選択で、前記通信インターフェースはさらに、
前記ＤＵを通じて前記ＲＲＣメッセージを前記ＵＥに送信するために、前記ＲＲＣメッセージを前記ＤＵに送信する。
【００２７】
任意選択で、ＰＳｃｅｌｌが決定されたものである場合、前記通信インターフェースはさらに、
前記ＭｅＮＢを通じて前記ＲＲＣメッセージを前記ＵＥに送信するために、前記ＲＲＣメッセージを前記ＵＥに対してサービシングするＭｅＮＢに送信する。
【００２８】
任意選択で、前記通信インターフェースはさらに、
前記ＤＵにレイヤ２リセット指示情報を送信し、前記レイヤ２リセット指示情報は、前記ＤＵがレイヤ２リセットを実行することを示す。
【００２９】
任意選択で、前記通信インターフェースはさらに、前記ＤＵによって送信されたリセットフィードバックメッセージを受信し、前記リセットフィードバックメッセージは、各ＤＲＢの新しく割り当てられたダウンリンク送信アドレスを含む。
【００３０】
任意選択で、前記受信機はさらに、
前記ＵＥがＰｃｅｌｌまたはＰＳｃｅｌｌハンドオーバを完了したことを決定するために、前記ＵＥによって送信されたＲＲＣ再構成完了メッセージを受信する。
【００３１】
任意選択で、前記通信インターフェースはさらに、
前記ＤＵにセルハンドオーバ完了メッセージを送信し、前記セルハンドオーバ完了メッセージは、前記ＵＥがＰｃｅｌｌまたはＰＳｃｅｌｌハンドオーバのハンドオーバを完了したことを示す。
【００３２】
任意選択で、前記プロセッサは、
前記ＵＥに対してサービシングするｃｅｌｌのサービス負荷情報、ＰＵＣＣＨ負荷状態情報および前記ＵＥの信号品質との３種類のパラメータ情報を取得し、
ＰｃｅｌｌまたはＰＳｃｅｌｌとして、前記３種類のパラメータ情報によって示す平均パラメータインデックス最良のｃｅｌｌを決定する。
【００３３】
任意選択で、前記通信インターフェースはさらに、
前記ＤＵにＰＵＣＣＨ負荷報告要求情報を送信し、前記ＰＵＣＣＨ負荷報告要求情報は、前記ＵＥに対してサービシングするｃｅｌｌ情報を含み、
前記ＤＵが前記ＣＵによって要求されるＰＵＣＣＨ負荷報告要求を実行できることを決定するために、前記ＤＵによって送信されたＰＵＣＣＨ負荷報告応答情報を受信し、
前記ＤＵによって送信されたＰＵＣＣＨ負荷状態情報を受信する。
【００３４】
第４の態様では、ＰｃｅｌｌまたはＰＳｃｅｌｌを管理するための装置が提供される。前記装置は、
ＵＥのＰｃｅｌｌまたはＰＳｃｅｌｌを決定し、かつ、レイヤ２構成情報を生成するように構成されたプロセッサと、
前記レイヤ２構成情報をＣＵに送信するように構成された通信インターフェースとを備え、前記レイヤ２構成情報は、ＰｃｅｌｌまたはＰＳｃｅｌｌハンドオーバに必要な構成パラメータ情報を含み、前記ＣＵおよび前記ＤＵは、ともに前記ＵＥに対してサービシングする。
【００３５】
任意選択で、前記通信インターフェースはさらに、前記ＣＵによって送信されたＲＲＣメッセージを受信し、
前記装置は、前記ＲＲＣメッセージを前記ＵＥに送信するように構成された前記受信機をさらに備える。
【００３６】
任意選択で、前記通信インターフェースはさらに、前記ＣＵによって送信されたレイヤ２リセット指示情報を受信し、
前記プロセッサはさらに、前記レイヤ２リセット指示情報に従ってレイヤ２リセットを実行する。
【００３７】
任意選択で、前記プロセッサはさらに、リセットフィードバックメッセージを生成し、前記リセットフィードバックメッセージは、各ＤＲＢの新しく割り当てられたダウンリンク送信アドレスを含み、
前記通信インターフェースはさらに、前記リセットフィードバックメッセージを前記ＣＵに送信する。
【００３８】
任意選択で、前記通信インターフェースはさらに、
前記ＵＥがＰｃｅｌｌまたはＰＳｃｅｌｌハンドオーバを完了したことを決定するために、前記ＣＵによって送信されたセルハンドオーバ完了メッセージを受信する。
【００３９】
任意選択で、前記プロセッサは、
前記ＵＥのＲＲＭ測定情報およびｃｅｌｌのアップリンクチャネル推定結果との２種類のパラメータ情報を取得し、
ＰｃｅｌｌまたはＰＳｃｅｌｌとして、前記２種類のパラメータ情報によって示す平均パラメータインデックス最良のｃｅｌｌを決定する。
【００４０】
任意選択で、前記通信インターフェースはさらに、
前記ＣＵに前記ＵＥの機器識別子を運ぶＲＲＭ測定要求メッセージを送信し、
前記ＣＵに前記ＵＥの機器識別子を運ぶＲＲＭ測定要求メッセージを送信し、
前記ＣＵによって送信された前記ＵＥの最新のＲＲＭ測定結果を受信する。
【００４１】
第５の態様では、ＰｃｅｌｌまたはＰＳｃｅｌｌを管理するための装置が提供される。前記装置は、
ＵＥのＰｃｅｌｌまたはＰＳｃｅｌｌを決定するように構成された決定モジュールと、
ＤＵにＰＣｅｌｌ/ＰＳＣｅｌｌ変更メッセージを送信するように構成された第１の送信モジュールとを備え、
前記ＰＣｅｌｌ/ＰＳＣｅｌｌ変更メッセージは、ＰｃｅｌｌまたはＰＳｃｅｌｌとしてハンドオーバする必要があるセルｃｅｌｌのセル識別子を含み、前記ＣＵおよび前記ＤＵは、ともに前記ＵＥに対してサービシングする。
【００４２】
任意選択で、前記装置はさらに、
前記ＤＵによって送信されたＰｃｅｌｌまたはＰＳｃｅｌｌハンドオーバに必要なレイヤ２構成情報を受信するように構成された第１の受信モジュールと、前記レイヤ２構成情報は、ＰｃｅｌｌまたはＰＳｃｅｌｌハンドオーバに必要な構成パラメータ情報を含み、
前記レイヤ２構成情報に従ってＲＲＣメッセージを生成するように構成された生成モジュールと、
前記ＲＲＣメッセージを前記ＵＥに送信するように構成された第２の送信モジュールとを備える。
【００４３】
任意選択で、前記第２の送信モジュールは具体的に、前記ＤＵを通じて前記ＲＲＣメッセージを前記ＵＥに送信するために、前記ＲＲＣメッセージを前記ＤＵに送信する。
【００４４】
任意選択で、ＰＳｃｅｌｌが決定されたものである場合、前記第２の送信モジュールは具体的に、前記ＭｅＮＢを通じて前記ＲＲＣメッセージを前記ＵＥに送信するために、前記ＲＲＣメッセージを前記ＵＥに対してサービシングするＭｅＮＢに送信する。
【００４５】
任意選択で、前記装置は、前記レイヤ２構成情報に従ってＲＲＣメッセージを生成した後、前記ＤＵにレイヤ２リセット指示情報を送信するように構成された第３の送信モジュールをさらに備え、前記レイヤ２リセット指示情報は、前記ＤＵがレイヤ２リセットを実行することを示す。
【００４６】
任意選択で、前記装置は、前記ＤＵにレイヤ２リセット指示情報を送信した後、前記ＤＵによって送信されたリセットフィードバックメッセージを受信するように構成された第２の受信モジュールをさらに備え、前記リセットフィードバックメッセージは、各ＤＲＢの新しく割り当てられたダウンリンク送信アドレスを含む。
【００４７】
任意選択で、前記装置は、前記ＲＲＣメッセージを前記ＵＥに送信した後、前記ＵＥがＰｃｅｌｌまたはＰＳｃｅｌｌハンドオーバを完了したことを決定するために、前記ＵＥによって送信されたＲＲＣ再構成完了メッセージを受信するように構成された第３の受信モジュールをさらに備える。
【００４８】
任意選択で、前記装置は、前記ＵＥによって送信されたＲＲＣ再構成完了メッセージを受信した後、前記ＤＵにセルハンドオーバ完了メッセージを送信するように構成された第４の送信モジュールをさらに備え、前記セルハンドオーバ完了メッセージは、前記ＵＥがＰｃｅｌｌまたはＰＳｃｅｌｌハンドオーバのハンドオーバを完了したことを示す。
【００４９】
任意選択で、前記決定モジュールは具体的に、
前記ＣＵ前記ＵＥに対してサービシングするｃｅｌｌのサービス負荷情報、ＰＵＣＣＨ負荷状態情報および前記ＵＥの信号品質との３種類のパラメータ情報を取得し、
前記ＣＵは、前記３種類のパラメータ情報によって示す平均パラメータインデックス最良のｃｅｌｌを、ＰｃｅｌｌまたはＰＳｃｅｌｌとして決定する。
【００５０】
任意選択で、前記決定モジュールは具体的に、
前記ＤＵにＰＵＣＣＨ負荷報告要求情報を送信し、前記ＰＵＣＣＨ負荷報告要求情報は、前記ＵＥに対してサービシングするｃｅｌｌ情報を含み、
【００５１】
前記ＤＵが前記ＣＵによって要求されるＰＵＣＣＨ負荷報告要求を実行できることを決定するために、前記ＤＵによって送信されたＰＵＣＣＨ負荷報告応答情報を受信し、
前記ＤＵによって送信されたＰＵＣＣＨ負荷状態情報を受信する。
【００５２】
第６の態様では、ＰｃｅｌｌまたはＰＳｃｅｌｌを管理するための装置が提供される。前記装置は、
ＵＥのＰｃｅｌｌまたはＰＳｃｅｌｌを決定するように構成された決定モジュールと、
レイヤ２構成情報を生成するように構成された第１の生成モジュールと、
前記レイヤ２構成情報をＣＵに送信するように構成された第１の送信モジュールと、を備え、
前記レイヤ２構成情報は、ＰｃｅｌｌまたはＰＳｃｅｌｌハンドオーバに必要な構成パラメータ情報を含み、
前記ＣＵおよび前記ＤＵは、ともに前記ＵＥに対してサービシングする。
【００５３】
任意選択で、前記装置は、
前記レイヤ２構成情報をＣＵに送信した後、前記ＣＵによって送信されたＲＲＣメッセージを受信するように構成された第１の受信モジュールと、
【００５４】
前記ＲＲＣメッセージを前記ＵＥに送信するように構成された第２の送信モジュールとを備える。
【００５５】
任意選択で、前記装置は、
前記レイヤ２構成情報をＣＵに送信した後、前記ＣＵによって送信されたレイヤ２リセット指示情報を受信するように構成された第２の受信モジュールと、
前記レイヤ２リセット指示情報に従ってレイヤ２リセットを実行するように構成されたリセットモジュールとを備える。
【００５６】
任意選択で、前記装置は、
前記レイヤ２リセット指示情報に従ってレイヤ２リセットを実行した後、リセットフィードバックメッセージを生成するように構成された第２の生成モジュールと、
前記リセットフィードバックメッセージを前記ＣＵに送信するように構成された第３の送信モジュールとを備え、
前記リセットフィードバックメッセージは、各ＤＲＢの新しく割り当てられたダウンリンク送信アドレスを含む。
【００５７】
任意選択で、前記装置は、前記ＵＥがＰｃｅｌｌまたはＰＳｃｅｌｌハンドオーバを完了したことを決定するために、前記ＣＵによって送信されたセルハンドオーバ完了メッセージを受信するように構成された第３の受信モジュールとを備える。
【００５８】
任意選択で、前記決定モジュールは具体的に、
前記ＵＥのＲＲＭ測定情報およびｃｅｌｌのアップリンクチャネル推定結果との２種類のパラメータ情報を取得し、
ＰｃｅｌｌまたはＰＳｃｅｌｌとして、前記２種類のパラメータ情報によって示す平均パラメータインデックス最良のｃｅｌｌを決定する。
【００５９】
任意選択で、前記決定モジュールは具体的に、
前記ＣＵに前記ＵＥの機器識別子を運ぶＲＲＭ測定要求メッセージを送信し、
前記ＣＵに前記ＵＥの機器識別子を運ぶＲＲＭ測定要求メッセージを送信し、
前記ＣＵによって送信された前記ＵＥの最新のＲＲＭ測定結果を受信する。
【００６０】
第７の態様では、プロセッサによって実行されたときに、第１の態様に記載のプライマリセル（Ｐｃｅｌｌ）またはプライマリセカンダリセル（ＰＳｃｅｌｌ）を管理するための方法のステップを実施するコンピュータプログラムを記憶した可読記憶媒体が提供される。
【００６１】
第８の態様では、プロセッサによって実行されたときに、第２の態様に記載のプライマリセル（Ｐｃｅｌｌ）またはプライマリセカンダリセル（ＰＳｃｅｌｌ）を管理するための方法のステップを実施するコンピュータプログラムを記憶した可読記憶媒体が提供される。
【発明の効果】
【００６２】
ＣＵ−ＤＵアーキテクチャに基づく通信システムの場合、本発明の実施形態本発明の実施形態は、ＰｃｅｌｌまたはＰＳｃｅｌｌを決定する、すなわち、ＣＵを介してＵＥのＰｃｅｌｌまたはＰＳｃｅｌｌを決定するための真新しいポリシーを提供する。また、ＤＵ、およびＣＵとＤＵの連携によるＰｃｅｌｌまたはＰＳｃｅｌｌハンドオーバなどの操作を実行することができる。言い換えれば、ＰｃｅｌｌまたはＰＳｃｅｌｌの変更は、ＵＥに共同でサービスを提供するＣＵおよびＤＵの協力を通じて達成することができ、それにより通信システムの効率を改善し、さらに良好なユーザ体験を保証する。
【図面の簡単な説明】
【００６３】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【００６４】
【図１】従来技術におけるＣＵ−ＤＵアーキテクチャの概略図である。
【図２】本発明の実施形態においてＰｃｅｌｌまたはＰＳｃｅｌｌを管理するための方法のフローチャートである。
【図３】本発明の実施形態においてＰｃｅｌｌまたはＰＳｃｅｌｌを管理するための方法の別のフローチャートである。
【図４】本発明の実施形態におけるセルのサービス負荷情報を取得するＣＵのフローチャートである。
【図５】本発明の実施形態における、ＰｃｅｌｌまたはＰＳｃｅｌｌのハンドオーバ中のＣＵとＤＵとの間の相互作用の概略図である。
【図６】本発明の実施形態においてＰｃｅｌｌまたはＰＳｃｅｌｌを管理するための方法の別のフローチャートである。
【図７】本発明の実施形態においてＲＲＭ測定情報を取得するＤＵのフローチャートである。
【図８】発明の実施形態においてＰｃｅｌｌまたはＰＳｃｅｌｌを管理するための装置の概略構造図である。
【図９】本発明の実施形態においてＰｃｅｌｌまたはＰＳｃｅｌｌを管理するための装置の別の概略構造図である。
【図１０】本発明の実施形態においてＰｃｅｌｌまたはＰＳｃｅｌｌを管理するための装置の概略構造図である。
【図１１】本発明の実施形態においてＰｃｅｌｌまたはＰＳｃｅｌｌを管理するための装置の別の概略構造図である。
【発明を実施するための形態】
【００６５】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００６６】
さらに、本明細書での「および／または」という用語は、関連するオブジェクトを説明する関連関係のみであり、これは、例えばＡおよび／またはＢが、Ａのみ、ＡとＢ、Ｂだけのような３種類の関係があり得ることを意味する。さらに、特に明記しない限り、本明細書における文字「/」は、一般に、２つの関連オブジェクトが「あるいは」関係にあることを示す。
【００６７】
アプリケーションの実施形態では、ＵＥは、無線端末または有線端末であり得、無線端末は、ユーザに音声および／またはデータ接続を提供するデバイス、無線接続機能を備えたハンドヘルドデバイス、またはワイヤレスモデムに接続されたその他の処理デバイスであり得る。無線端末は、ＲＡＮを介して１つまたは複数のコアネットワークと通信することができる。無線端末は、携帯電話（または「セルラー」電話と呼ばれる）などの携帯端末、携帯端末を備えたコンピュータであってもよい。携帯端末を備えたコンピュータは、たとえば、ポータブル、ポケットサイズ、ハンドヘルド、コンピュータ内蔵または車両であってもよい。ワイヤレスアクセスネットワークと言語やデータを交換する、携帯電話、ＰＡＤ、携帯情報端末（Ｐｅｒｓｏｎａｌ Ｄｉｇｉｔａｌ Ａｓｓｉｓｔａｎｔ，ＰＤＡ）などのモバイルデバイスであってもよい。
【００６８】
５Ｇ通信システムにおけるＣＵ−ＤＵアーキテクチャは、図１に示されるように、５Ｇ通信システムにおけるｇＮＢ（基地局）がＣＵノードおよびＤＵノードを含むことを意味する。ＣＵは、中央ユニットまたは中央ノードと呼ばれる。ＣＵノードには、ｇＮＢの主要機能（モビリティ管理やＵＥのＲＲＣ機能など）が含まれ、ＤＵは分散ユニットまたは分散ノードと呼ばれ、ＤＵノードにはｇＮＢのサブ機能が含まれる。ＤＵノードの動作は、一般にＣＵノードによって制御される。ＣＵノードとＤＵノードは、光ファイバーリンクを介して接続できる。１つのＣＵは複数のＤＵに接続できるが、１つのＤＵは１つのＣＵにしか接続できない。
【００６９】
上記の技術的スキームをよりよく理解するために、上記の技術的スキームを、明細書の図面および特定の実施形態を参照して以下に詳細に説明する。
【００７０】
実施形態１
図２を参照すると、本発明の実施形態は、ＰｃｅｌｌまたはＰＳｃｅｌｌを管理するための方法を提供し、この方法は、ＣＵ−ＤＵアーキテクチャに基づく通信システムにおけるＣＵに適用することができる。方法の流れを以下に示す。
【００７１】
ステップ２１：ＣＵは、ＵＥのＰｃｅｌｌまたはＰＳｃｅｌｌを決定する。
【００７２】
ステップ２２：ＣＵは、ＤＵにＰＣｅｌｌ/ＰＳＣｅｌｌ変更メッセージを送信し、ここで、ＰＣｅｌｌ/ＰＳＣｅｌｌ変更メッセージは、ＰｃｅｌｌまたはＰＳｃｅｌｌとしてハンドオーバする必要があるｃｅｌｌのセル識別子を含む。ＣＵおよびＤＵは共同でＵＥにサービスを提供する。
【００７３】
ＣＵおよびＤＵ（すなわち、ＣＵおよびそれに接続されたＤＵ）のグループは、複数のＵＥにサービスを提供することができる。ＵＥのいずれか１つ（例えば、ＵＥ−１）について、使用中、ＵＥ−１の位置、ネットワーク負荷、および通信信号品質の変化により、ＵＥ−１の通信品質が影響を受ける可能性がある。ＵＥ-1の高品質な通信を保証するために、ＵＥ-1のＰｃｅｌｌまたはＰｓｃｅｌｌハンドオーバが必要になる場合がある。
【００７４】
本発明の実施形態では、ＣＵは単独で、ＵＥのためのＰｃｅｌｌまたはＰＳｃｅｌｌを選択することができ、すなわち、ＵＥのＰｃｅｌｌまたはＰＳｃｅｌｌは、ＣＵによって決定される。
【００７５】
本発明の実施形態では、ＣＵは、最初に、ＵＥにサービスを提供するセルのサービス負荷情報およびＰＵＣＣＨ負荷状態情報、ならびにＵＥの信号品質との３種類のパラメータ情報を取得することができる。次に、ＲＲＭアルゴリズムを介して当該３種類のパラメータ情報を計算し、平均以上のパラメータインデックスが最も高いセルを決定する。これは、ＵＥのＰｃｅｌｌまたはＰＳｃｅｌｌとして使用される。つまり、上記の３種類のパラメータ情報によってしめす平均パラメータインデックスが最も良いセルは、ＰｃｅｌｌまたはＰＳｃｅｌｌとして決定できる。たとえば、サービス負荷が小さく、ＵＥ信号品質が高く、ＰＵＣＣＨ負荷が低いセルは、ＰｃｅｌｌまたはＰＳｃｅｌｌとして選択されている。もちろん、特定の実施では、ＲＲＭアルゴリズムを使用した計算中に他のパラメータ情報を考慮することもできるが、ここには繰り返して例を挙げながら説明しない。
【００７６】
上記３種類のパラメータ情報のうちのＰＵＣＣＨ負荷状態情報に関しては、それはＤＵによってのみ検出され得るので、ＤＵは、周期的報告モードでＣＵに検出結果を送ることができ、この場合、報告周期は事前に設定できる。または、図３に示すように、要求後応答するモードでターゲットを絞った報告を実行して、ＣＵの当面のニーズに対応し、ノード間の対話効率を向上させることができる。
【００７７】
当業者の理解を容易にするために、図３に示される「要求後応答するモード」を以下に説明する。最初に、ステップ３１が実行される。つまり、ＣＵはＰＵＣＣＨ負荷報告要求情報をＤＵに送信する。当該ＰＵＣＣＨ負荷報告要求情報は、検出される必要があるＵＥの識別子を含むことができ、これにより、ＤＵは、ＰＵＣＣＨ負荷状態についてどのセルを検出する必要があるかを指定することができる。または、検出するセルの識別子を直接含めることができる。さらに、ＤＵは、ＣＵによって送信されたＰＵＣＣＨ負荷報告要求情報を受信した後、ＣＵによって指定された測定が自身の実際の状況に従って実行できるかどうかを判断することができる。可能であれば、ＤＵはステップ３２を実行する。つまり、ＰＵＣＣＨ負荷報告応答情報をＣＵに送信して、必要な検出作業を実行できることをＣＵに明確に通知する。そして、指定されたセルで測定統計を取得し、指定された周期またはＰＵＣＣＨ負荷情報を取得した直後にＣＵに送信する。すなわち、ステップ３３のＰＵＣＣＨ負荷報告を実行する。ＰＵＣＣＨ負荷状態情報は、ＰＵＣＣＨのリソース使用率を示したり、ＰＵＣＣＨによって使用されているリソースの数の絶対値を状態したり、ＰＵＣＣＨ負荷状態を示すことができる限り、他のパラメータ値であったりする。
【００７８】
さらに、ＵＥのＰｃｅｌｌまたはＰＳｃｅｌｌを決定した後、ＣＵは、セルハンドオーバ情報をＤＵに送信して、ＰｃｅｌｌまたはＰＳｃｅｌｌハンドオーバの準備作業を行う必要があることをＣＵに通知する。それにより、ＰｃｅｌｌまたはＵＥのＰＳｃｅｌｌの変更を実現することができる。
【００７９】
本発明の実施形態は、ＰｃｅｌｌまたはＰＳｃｅｌｌを決定する、すなわち、ＣＵのみを介してＵＥのＰｃｅｌｌまたはＰＳｃｅｌｌを決定し、ＰｃｅｌｌまたはＰＳｃｅｌｌハンドオーバなどの動作を実行するための真新しいポリシーを提供する。また、ＤＵ、およびＣＵとＤＵの連携によるＰｃｅｌｌまたはＰＳｃｅｌｌハンドオーバなどの操作を実行することができる。言い換えれば、ＰｃｅｌｌまたはＰＳｃｅｌｌの変更は、ＵＥに共同でサービスを提供するＣＵおよびＤＵの協力を通じて達成することができ、したがって通信システムの効率を改善する。
【００８０】
ＣＵがセルハンドオーバ情報をＤＵに送信した後、ＤＵは、ＰｃｅｌｌまたはＰＳｃｅｌｌハンドオーバの準備をして、最終的なＰｃｅｌｌまたはＰＳｃｅｌｌハンドオーバに必要ないくつかの必要なパラメータ情報をＵＥに提供することができる。具体的には、図４に示すフローを採用することができる。すなわち：
ステップ４１：ＣＵは、ＤＵによって送信されたＰｃｅｌｌまたはＰＳｃｅｌｌハンドオーバに必要なレイヤ２構成情報を受信する。ここで、レイヤ２構成情報は、ＰｃｅｌｌまたはＰＳｃｅｌｌハンドオーバに必要な構成パラメータ情報を含む。
【００８１】
ステップ４２：ＣＵは、レイヤ２構成情報に従ってＲＲＣメッセージを生成する。
【００８２】
ステップ４３：ＣＵは、ＲＲＣメッセージをＵＥに送信する。
【００８３】
つまり、ＣＵによって送信されたセルハンドオーバ情報を受信した後、ＤＵは、ＰｃｅｌｌまたはＰＳｃｅｌｌハンドオーバに必要な構成パラメータ情報に従って、ＰｃｅｌｌまたはＰＳｃｅｌｌハンドオーバに必要なレイヤ２構成情報を生成し、次にそれをＣＵに送信することができる。ＣＵは、レイヤ２構成情報に従ってＵＥがＰｃｅｌｌまたはＰＳｃｅｌｌハンドオーバを直接実行できるようにするために必要なＲＲＣメッセージを生成する。
【００８４】
当業者の理解を容易にするために、図５に示されるＣＵとＤＵとの間の相互作用図は、ＣＵがＰｃｅｌｌまたはＰＳｃｅｌｌを決定した後、ＵＥが最終的なＰｃｅｌｌまたはＰＳｃｅｌｌハンドオーバを完了することを可能にするためにＣＵとＤＵがどのように協働するかを説明するために使用される。
【００８５】
図５を参照すると、Ｐｃｅｌｌ／ＰＳｃｅｌｌ変更メッセージを受信した後、ＤＵはステップ５１を実行してレイヤ２構成情報を生成し、生成されたレイヤ２構成情報は、ランダムアクセスチャネル（Ｒａｎｄｏｍ Ａｃｃｅｓｓ Ｃｈａｎｎｅｌ，ＲＡＣＨ）などの新しい同期構成パラメータを含む）構成なので、レイヤ２構成情報には、ＰｃｅｌｌまたはＰＳｃｅｌｌのハンドオーバに必要な構成パラメータ情報が含まれる。
【００８６】
ステップ５２：ＤＵは、生成されたレイヤ２構成情報をＣＵに送信する。
【００８７】
ステップ５３：ＣＵは、受信されたレイヤ２構成情報に従ってＲＲＣメッセージを生成する。レイヤ２構成情報にはＰｃｅｌｌまたはＰＳｃｅｌｌハンドオーバに必要な構成パラメータ情報が含まれるため、ＣＵによって生成されるＲＲＣメッセージにはＰｃｅｌｌまたはＰＳｃｅｌｌハンドオーバに必要な構成パラメータ情報も含まれ、当該メッセージはＰｃｅｌｌまたはＰＳｃｅｌｌのハンドオーバを正確に実行する方法をＵＥに指示できる。
【００８８】
ＲＲＣメッセージを生成した後、ＣＵは、ステップ５４ａおよび５４ｂからなる第１の方法およびステップ５５ａおよび５５ｂでからなる第２の方法であるＰｃｅｌｌまたはＰＳｃｅｌｌのハンドオーバを実行するようにＵＥに命令する以下の２つの方法のいずれかでＲＲＣメッセージをＵＥに送信することができる。
【００８９】
第１の方法では、ＣＵは最初にＲＲＣメッセージを符号化および暗号化し、それをＤＵに送信し、符号化および暗号化されたＲＲＣメッセージを受信した後、ＤＵはそれをＵＥに転送することができる。
【００９０】
第２の方法では、ＣＵは、ＲＲＣメッセージを符号化および暗号化し、次いでそれをＵＥにサービスするＭｅＮＢに送信し、符号化および暗号化されたＲＲＣメッセージを受信した後、ＭｅＮＢはそれをＵＥに転送することができる。ＭｅＮＢはＰＳｃｅｌｌにのみ存在するため、ＵＥがＰｃｅｌｌ変更ではなくＰＳｃｅｌｌ変更を行う必要があるとＣＵが判断した場合にのみ、第２の方法を採用できることにご留意してください。
【００９１】
ＣＵとＵＥとの間に直接的な通信インターフェースがないので、ＲＲＣメッセージは、タイムリーＰｃｅｌｌまたはＰＳｃｅｌｌのハンドオーバを実行するようにＵＥに命令する上記の２つの方法のいずれかでＵＥに送信され得る。
【００９２】
上記の２つの方法のいずれかにおいて、ＲＲＣメッセージを受信した後、ＵＥは、ＲＲＣメッセージ内の構成パラメータ情報に従ってＰｃｅｌｌまたはＰＳｃｅｌｌ変更を実行する。すなわち、図５のステップ５９に示すようにＵＥアクセス動作を実行することにより、ＰｃｅｌｌまたはＰＳｃｅｌｌの変更を実現する。ＰｃｅｌｌまたはＰＳｃｅｌｌの変更後、ＵＥの通信品質をある程度向上させることができるため、ユーザ体験が向上する。
【００９３】
さらに、ＲＲＣメッセージを生成した後、ＣＵは、ステップ５６を実行して、レイヤ２リセット指示情報をＤＵに送信して、ＤＵにレイヤ２リセットを実行するように指示することもできる。レイヤ２リセット指示情報を受信した後、ステップ５７に示すように、ＤＵはレイヤ２リセットを実行する。具体的には、ＤＵによって実行されるレイヤ２リセットには、メディアアクセス制御（Ｍｅｄｉａ Ａｃｃｅｓｓ Ｃｏｎｔｒｏｌ，ＭＡＣ）リセット操作と、すべての無線リンク制御（Ｒａｄｉｏ Ｌｉｎｋ Ｃｏｎｔｒｏｌ，ＲＬＣ）エンティティの再構築操作が含まれるが、これらに限定されない。ＤＵのレイヤ２リセットを通じて、実行中のデータを停止し、キャッシュを空にすることができる。
【００９４】
可能な一実施形態では、ＲＲＣメッセージは、レイヤ２リセット指示情報によって運ばれ、ＣＵによってＵＥに送信され得、したがって、ＲＲＣメッセージを送信することおよびレイヤ２リセット指示情報を送信することの２つの動作を１つにマージする。さらに、ＤＵは、レイヤ２リセットを完了した後、すなわちステップ５８が実行され、リセットフィードバックメッセージをＣＵに送信することができる。当該リセットフィードバックメッセージは、各ＤＲＢの新しく割り当てられたダウンリンク送信アドレスを運ぶことができる。
【００９５】
可能な一実施形態では、ＰｃｅｌｌまたはＰＳｃｅｌｌの変更が完了した後、ＵＥは、ＲＲＣ再構成完了メッセージをＣＵに戻し、すなわち、ステップ５１０を実行して、ＰｃｅｌｌまたはＰＳｃｅｌｌのハンドオーバが完了したことをＣＵに通知する。
【００９６】
さらに、ＣＵはまた、図５のステップ５１１を実行する。すなわち、ＵＥがＰｃｅｌｌまたはＰＳｃｅｌｌのハンドオーバを完了したことをＤＵにタイムリーに通知するために、セルハンドオーバ完了メッセージをＤＵに送信することができる。
【００９７】
本発明の実施形態では、ＵＥからＣＵへのフィードバックおよびＣＵからＤＵへのフィードバックを通じて、通信システムの各ノードは、システム内で発生したネットワークの変更をできるだけ早く知ることができる。したがって、ノード間のインスタント通信機能が向上する。
【００９８】
実施形態２
図６を参照すると、本発明の実施形態は、ＰｃｅｌｌまたはＰＳｃｅｌｌを管理するための別の方法を提供し、この方法は、ＣＵ−ＤＵアーキテクチャに基づく通信システムのＤＵに適用することができる。方法の流れを以下に示す。
【００９９】
ステップ６１：ＤＵは、ＵＥのＰｃｅｌｌまたはＰＳｃｅｌｌを決定する。
【０１００】
ステップ６２：ＤＵは、レイヤ２構成情報を生成し、ここで、レイヤ２構成情報は、ＰｃｅｌｌまたはＰＳｃｅｌｌハンドオーバに必要な構成パラメータ情報を含む。
【０１０１】
ステップ６３：ＤＵは、レイヤ２構成情報をＣＵに送信し、ここで、ＣＵおよびＤＵは共同でＵＥにサービスを提供する。
【０１０２】
特定の実施では、ＤＵは、最初にＵＥのＲＲＭ測定情報およびセルのアップリンクチャネル推定結果との２種類のパラメータ情報を取得し、次に、ＲＲＭアルゴリズムによって、当該２種類のパラメータ情報によって示される平均パラメータインデックス最良のセルをＰｃｅｌｌまたはＰｃｅｌｌとして決定することができる。
【０１０３】
ＵＥのＲＲＭ測定情報は通常、ＣＵ検出によって取得されるので、ＤＵがＵＥのＲＲＭ測定情報を取得する必要がある場合、図７に示されるような「要求後応答するモード」を採用することができる。具体的には、ＤＵは最初にステップ７１を実行して、前記ＵＥの識別子を運ぶＲＲＭ測定要求メッセージをＣＵに送信する。ＣＵは、ＤＵによって送信されたＲＲＭ測定要求メッセージを受信した後、その実際の能力に従って、ＤＵによって指定された測定を現在実行できるかどうかを判断する。可能であれば、ＣＵはＲＲＭ測定応答メッセージをＤＵに送信してＤＵに通知する。つまり、ステップ７２が実行される。次に、ＣＵは、ＲＲＭ測定要求メッセージによって運ばれる識別子に従ってＵＥ ＲＲＭ測定を実行して、指定されたＵＥの最新のＲＲＭ測定結果を取得し、最新のＲＲＭ測定結果をＤＵに報告してステップ７３を完了する。図７に示すフローを実施する場合、ＤＵはＲＲＭ測定情報の報告周期を指定することもできるため、ＤＵは指定された周期に従って周期内に報告することができる。
【０１０４】
ステップ６２およびステップ６３の特定の実施については、前の実施形態１における図５の説明を参照することができ、ここでは繰り返さない。
【０１０５】
可能な一実施形態では、レイヤ２構成情報をＣＵに送信した後、ＤＵはまた、ＣＵによって送信されたＲＲＣメッセージを受信し、ＲＲＣメッセージをＵＥに転送することができる。
【０１０６】
可能な一実施形態では、レイヤ２構成情報をＣＵに送信した後、ＤＵは、ＣＵによって送信されたレイヤ２リセット指示情報を受信し、レイヤ２リセット指示情報に従ってレイヤ２リセットを実行することもできる。
【０１０７】
可能な一実施形態では、レイヤ２リセットを実行した後、ＤＵは、各ＤＲＢの新しく割り当てられたダウンリンク送信アドレスを含むリセットフィードバックメッセージを生成し、リセットフィードバックメッセージをＣＵに送信することもできる。
【０１０８】
可能な一実施形態では、ＲＲＣメッセージをＵＥに転送した後、ＤＵは、ＣＵによって送信されたセルハンドオーバ完了メッセージを受信して、ＵＥがＰｃｅｌｌまたはＰＳｃｅｌｌのハンドオーバを完了したことを決定することもできる。
【０１０９】
上記のいくつかの可能な実施形態の具体的な実施については、前の実施形態１における図５の説明を参照することができ、ここでは繰り返さない。
【０１１０】
本発明の実施形態は、ＰｃｅｌｌまたはＰＳｃｅｌｌを決定する、すなわち、ＤＵのみを介してＵＥのＰｃｅｌｌまたはＰＳｃｅｌｌを決定し、ＣＵとＤＵの協力でＰｃｅｌｌまたはＰＳｃｅｌｌハンドオーバなどの動作を実行するための真新しいポリシーを提供する。言い換えれば、ＰｃｅｌｌまたはＰＳｃｅｌｌの変更は、ＵＥに共同でサービスを提供するＣＵおよびＤＵの協力を通じて達成することができ、したがって通信システムの効率を改善する。
【０１１１】
実施形態３
図８を参照すると、本発明の実施形態は、ＰｃｅｌｌまたはＰＳｃｅｌｌを管理するための装置を提供する。当該装置は、プロセッサ８１および通信インターフェース８２を含み、プロセッサ８１は、ＰｃｅｌｌまたはＰｃｅｌｌを決定するように構成される。通信インターフェース８２は、ＤＵにＰＣｅｌｌ/ＰＳＣｅｌｌ変更メッセージを送信するように構成される。ここで、ＰＣｅｌｌ/ＰＳＣｅｌｌ変更メッセージは、ＰｃｅｌｌまたはＰＳｃｅｌｌとしてハンドオーバする必要があるセルｃｅｌｌのセル識別子を含む当該装置およびＤＵは共同でＵＥにサービスを提供する。
【０１１２】
可能な一実施形態では、通信インターフェース８２はさらに、ＤＵによって送信されたＰｃｅｌｌまたはＰＳｃｅｌｌハンドオーバに必要なレイヤ２構成情報を受信する。ここで、レイヤ２構成情報は、ＰｃｅｌｌまたはＰＳｃｅｌｌハンドオーバに必要な構成パラメータ情報を含み、プロセッサ８１はさらに、レイヤ２構成情報に従ってＲＲＣメッセージを生成する。
【０１１３】
可能な一実施形態では、前記装置は、ＲＲＣメッセージをＵＥに送信するように構成された受信機をさらに含む。
【０１１４】
可能な一実施形態では、通信インターフェース８２は、ＲＲＣメッセージがＤＵを通じてＵＥに送信されるように、ＲＲＣメッセージをＤＵに送信するようにさらに構成される。
【０１１５】
可能な一実施形態では、ＰＳｃｅｌｌが決定されたものである場合、通信インターフェース８２は、ＲＲＣメッセージをＵＥにサービスするＭｅＮＢに送信して、ＭｅＮＢがＲＲＣメッセージをＵＥに送信するようにさらに構成される。
【０１１６】
可能な一実施形態では、通信インターフェース８２は、レイヤ２リセット指示情報をＤＵに送信するようにさらに構成され、ここで、レイヤ２リセット指示情報は、ＤＵレイヤ２リセットを実行することを示す。
【０１１７】
可能な一実施形態では、通信インターフェース８２は、ＤＵによって送信されたリセットフィードバックメッセージを受信するようにさらに構成され、ここで、リセットフィードバックメッセージは、各ＤＲＢの新しく割り当てられたダウンリンク送信アドレスを含む。
【０１１８】
可能な一実施形態では、受信機は、ＵＥがＰｃｅｌｌまたはＰＳｃｅｌｌのハンドオーバを完了したことを決定するために、ＵＥによって送信されたＲＲＣ再構成完了メッセージを受信するようにさらに構成される。
【０１１９】
可能な一実施形態では、通信インターフェース８２は、セルハンドオーバ完了メッセージをＤＵに送信するようにさらに構成され、セルハンドオーバ完了メッセージは、ＵＥがＰｃｅｌｌまたはＰＳｃｅｌｌのハンドオーバを完了したことを示すために使用される。
【０１２０】
可能な一実施形態では、プロセッサ８１は、
ＵＥにサービスを提供するセルのサービス負荷情報、ＰＵＣＣＨ負荷状態情報およびＵＥの信号品質との３種類のパラメータ情報を受信し、
ＰｃｅｌｌまたはＰＳｃｅｌｌとして、３種類のパラメータ情報によって示す平均パラメータインデックス最良のｃｅｌｌを決定する。
【０１２１】
可能な一実施形態では、通信インターフェース８２は、
ＰＵＣＣＨ負荷報告要求情報をＤＵに送信し、ＰＵＣＣＨ負荷報告要求情報は、ＵＥにサービスを提供するセルの情報を含む。
【０１２２】
ＣＵが必要とするＰＵＣＣＨ負荷報告要求をＤＵが実行できることを決定するために、ＤＵによって送信されたＰＵＣＣＨ負荷報告応答情報を受信する。そして
ＤＵによって送信されたＰＵＣＣＨ負荷状態情報を受信する。
【０１２３】
実施形態４
図９を参照すると、本発明の実施形態は、ＰｃｅｌｌまたはＰＳｃｅｌｌを管理するための装置を提供し、装置は、プロセッサ９１および通信インターフェース９２を備える。ここで、プロセッサ９１は、ＰｃｅｌｌまたはＰｃｅｌｌを決定し、レイヤ２構成情報を生成するように構成される。ここで、レイヤ２構成情報は、ＰｃｅｌｌまたはＰＳｃｅｌｌハンドオーバに必要な構成パラメータ情報を含み、通信インターフェース９２は、レイヤ２構成情報をＣＵに送信し、ここで、ＣＵおよびＤＵは共同でＵＥにサービスを提供する。
【０１２４】
可能な一実施形態では、通信インターフェース９２は、ＣＵによって送信されたＲＲＣメッセージを受信するようにさらに構成される。
【０１２５】
前記装置は、ＲＲＣメッセージをＵＥに送信するように構成された受信機をさらに備える。
【０１２６】
可能な一実施形態では、通信インターフェース９２は、ＣＵによって送信されたレイヤ２リセット指示情報を受信するようにさらに構成される。
【０１２７】
プロセッサ９１はさらに、レイヤ２リセット指示情報に従ってレイヤ２リセットを実行するように構成される。
【０１２８】
可能な一実施形態では、プロセッサ９１は、リセットフィードバックメッセージを生成し、ここで、リセットフィードバックメッセージは、各ＤＲＢの新しく割り当てられたダウンリンク送信アドレスを含む。
【０１２９】
通信インターフェース９２は、リセットフィードバックメッセージをＣＵに送信するようにさらに構成される。
【０１３０】
可能な一実施形態では、通信インターフェース９２は、ＣＵによって送信されたセルハンドオーバ完了メッセージを受信して、ＵＥがＰｃｅｌｌまたはＰＳｃｅｌｌのハンドオーバを完了したことを決定するようにさらに構成される。
【０１３１】
可能な一実施形態では、プロセッサ９１は、以下のように構成される。
【０１３２】
ＵＥのＲＲＭ測定情報およびｃｅｌｌのアップリンクチャネル推定結果との２種類のパラメータ情報を取得する。
【０１３３】
そして、ＰｃｅｌｌまたはＰＳｃｅｌｌとして、２種類のパラメータ情報によって示す平均パラメータインデックス最良のｃｅｌｌを決定する。
【０１３４】
可能な一実施形態では、通信インターフェース９２はさらに、以下のように構成される。
【０１３５】
ＵＥの機器識別子を運ぶＲＲＭ測定要求メッセージをＣＵに送る。
【０１３６】
ＣＵがＣＵによって要求された測定を実行できることを決定するために、ＣＵによって送信されたＲＲＭ測定応答情報を受信する。そして
ＣＵによって送信されたＵＥの最新のＲＲＭ測定結果を受信する。
【０１３７】
実施形態５
図１０を参照すると、本発明の実施形態は、ＰｃｅｌｌまたはＰＳｃｅｌｌを管理するための装置を提供し、当該装置は、決定モジュール１０１１および第１の送信モジュール１０１２を含む。ここで、決定モジュール１０１１は、ＵＥのＰｃｅｌｌまたはＰＳｃｅｌｌを決定するように構成され、第１の送信モジュール１０１２は、ＤＵにＰＣｅｌｌ/ＰＳＣｅｌｌ変更メッセージを送信するように構成される。ここで、ＰＣｅｌｌ/ＰＳＣｅｌｌ変更メッセージは、ＰｃｅｌｌまたはＰＳｃｅｌｌとしてハンドオーバする必要があるセルｃｅｌｌのセル識別子を含み、ＣＵおよびＤＵは共同でＵＥにサービスを提供する。
【０１３８】
任意選択で、装置は、ＤＵによって送信されたＰｃｅｌｌまたはＰＳｃｅｌｌハンドオーバに必要なレイヤ２構成情報受信するように構成された第１の受信モジュールと、
レイヤ２構成情報に従ってＲＲＣメッセージを生成するように構成された生成モジュールと、
ＲＲＣメッセージをＵＥに送信するように構成された第２の送信モジュールと、をさらに備える。
【０１３９】
ここで、レイヤ２構成情報は、ＰｃｅｌｌまたはＰＳｃｅｌｌハンドオーバに必要な構成パラメータ情報を含み、
任意選択で、第２の送信モジュールは具体的に、ＤＵがＲＲＣメッセージをＵＥに送信するように、ＲＲＣメッセージをＤＵに送信する。
【０１４０】
任意選択で、ＰＳｃｅｌｌが決定されたものである場合、第２の送信モジュールは具体的に、ＵＥにサービスを提供するＭｅＮＢにＲＲＣメッセージを送信することにより、ＭｅＮＢがＲＲＣメッセージをＵＥに送信する。
【０１４１】
任意選択で、前記装置は、レイヤ２構成情報に従ってＲＲＣメッセージを生成した後、レイヤ２リセット指示情報をＤＵに送信するように構成された第３の送信モジュールとを備える。ここで、レイヤ２リセット指示情報は、ＤＵレイヤ２リセットを実行する。
【０１４２】
任意選択で、前記装置は、レイヤ２リセット指示情報をＤＵに送信した後にＤＵによって送信されたリセットフィードバックメッセージを受信するように構成された第２の受信モジュールをさらに備える。
【０１４３】
任意選択で、前記装置は、ＵＥがＰｃｅｌｌまたはＰＳｃｅｌｌのハンドオーバを完了したことを決定するために、ＲＲＣメッセージをＵＥに送信した後にＵＥによって送信されたＲＲＣ再構成完了メッセージを受信するように構成された第３の受信モジュールをさらに備える。
【０１４４】
任意選択で、前記装置は、ＵＥによって送信されたＲＲＣ再構成完了メッセージを受信した後、セルハンドオーバ完了メッセージをＤＵに送信するように構成された第４の送信モジュールをさらに備える。
【０１４５】
前記セルハンドオーバ完了メッセージは、ＵＥがＰｃｅｌｌまたはＰＳｃｅｌｌのハンドオーバを完了したことを示すために使用される。
【０１４６】
任意選択で、決定モジュール１０１１は、
ＵＥにサービスを提供するセルのサービス負荷情報、ＰＵＣＣＨ負荷状態情報およびＵＥの信号品質との３種類のパラメータ情報を取得し、
ＰｃｅｌｌまたはＰＳｃｅｌｌとして、３種類のパラメータ情報によって示す平均パラメータインデックス最良のｃｅｌｌを決定する。
【０１４７】
任意選択で、決定モジュール１０１１は、は、具体的には以下のように構成される。
【０１４８】
ＰＵＣＣＨ負荷報告要求情報をＤＵに送信し、ＰＵＣＣＨ負荷報告要求情報は、ＵＥにサービスを提供するセルの情報を含む。
【０１４９】
ＣＵが必要とするＰＵＣＣＨ負荷報告要求をＤＵが実行できることを決定するために、ＤＵによって送信されたＰＵＣＣＨ負荷報告応答情報を受信する。そして
ＤＵによって送信されたＰＵＣＣＨ負荷状態情報を受信する。
【０１５０】
実施形態６
図１１を参照すると、本発明の実施形態は、ＰｃｅｌｌまたはＰＳｃｅｌｌを管理するための装置を提供し、当該装置は、決定モジュール１１１１と、第１の生成モジュール１１１２と、第１の送信モジュール１１１３とを含む。
【０１５１】
ここで、決定モジュール１１１１は、ＵＥのＰｃｅｌｌまたはＰＳｃｅｌｌを決定するように構成される。
【０１５２】
第１の生成モジュール１１１２は、レイヤ２構成情報を生成するように構成され、ここで、レイヤ２構成情報は、ＰｃｅｌｌまたはＰＳｃｅｌｌハンドオーバに必要な構成パラメータ情報を含む。
【０１５３】
第１の送信モジュール１１１３は、レイヤ２構成情報をＣＵに送信するように構成され、ここで、ＣＵおよびＤＵは共同でＵＥにサービスを提供する。
【０１５４】
任意選択で、装置は、
レイヤ２構成情報をＣＵに送信した後にＣＵによって送信されたＲＲＣメッセージを受信するように構成された第１の受信モジュールと、
ＲＲＣメッセージをＵＥに送信するように構成された第２の送信モジュールとを備える。
【０１５５】
任意選択で、前記装置は、
レイヤ２構成情報をＣＵに送信した後、ＣＵによって送信されたレイヤ２リセット指示情報を受信するように構成された第２の受信モジュールと、
レイヤ２リセット指示情報に従ってレイヤ２リセットを実行するように構成されたリセットモジュールとをさらに備える。
【０１５６】
任意選択で、前記装置は、
レイヤ２リセット指示情報に従ってレイヤ２リセットを実行した後、リセットフィードバックメッセージを生成するように構成された第２の生成モジュールと、
リセットフィードバックメッセージをＣＵに送信するように構成された第３の送信モジュールとを備える。
【０１５７】
ここで、リセットフィードバックメッセージは、各ＤＲＢの新しく割り当てられたダウンリンク送信アドレスを含み、
任意選択で、前記装置ＵＥがＰｃｅｌｌまたはＰＳｃｅｌｌのハンドオーバを完了したことを決定するために、ＣＵによって送信されたセルハンドオーバ完了メッセージを受信するように構成された第３の受信モジュールを備える。
【０１５８】
任意選択で、決定モジュール１１１１は、
ＵＥのＲＲＭ測定情報およびｃｅｌｌのアップリンクチャネル推定結果との２種類のパラメータ情報を取得し、
ＰｃｅｌｌまたはＰＳｃｅｌｌとして、２種類のパラメータ情報によって示す平均パラメータインデックス最良のｃｅｌｌを決定する。
【０１５９】
任意選択で、決定モジュール１１１１は、具体的には以下のように構成される。
【０１６０】
ＵＥの機器識別子を運ぶＲＲＭ測定要求メッセージをＣＵに送る。
【０１６１】
ＣＵがＣＵによって要求された測定を実行できることを決定するために、ＣＵによって送信されたＲＲＭ測定応答情報を受信する。そして
ＣＵによって送信されたＵＥの最新のＲＲＭ測定結果を受信する。
【０１６２】
さらに、本発明の実施形態はまた、プロセッサによって実行されると、実施形態１に記載されるようなＰｃｅｌｌまたはＰＳｃｅｌｌを管理するための方法のステップを実施するコンピュータプログラムを格納した可読記憶媒体を提供する。
【０１６３】
本発明の実施形態はまた、プロセッサによって実行されたときに、実施形態２に記載されるようなＰｃｅｌｌまたはＰＳｃｅｌｌを管理するための方法のステップを実施するコンピュータプログラムを記憶した別の読み取り可能な記憶媒体を提供する。
【０１６４】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０１６５】
以上は本発明の実施形態の方法、装置（システム）、およびコンピュータプログラム製品のフロー図および／またはブロック図によって、本発明を記述した。理解すべきことは、コンピュータプログラム命令によって、フロー図および／またはブロック図における各フローおよび／またはブロックと、フロー図および／またはブロック図におけるフローおよび／またはブロックの結合を実現できる。プロセッサはこれらのコンピュータプログラム命令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム命令を実行し、フロー図における一つ或いは複数のフローおよび／またはブロック図における一つ或いは複数のブロックに指定する機能を実現する。
【０１６６】
これらのコンピュータプログラム命令は、又、コンピュータ或いは他のプログラム可能なデータ処理装置を特定方式で動作させるコンピュータ読取記憶装置に記憶できる。これによって、命令を含む装置は当該コンピュータ読取記憶装置内の命令を実行でき、フロー図における一つ或いは複数のフローおよび／またはブロック図における一つ或いは複数のブロックに指定する機能を実現する。
【０１６７】
これらコンピュータプログラム命令はさらに、コンピュータ或いは他のプログラム可能なデータ処理装置設備に実装もできる。コンピュータプログラム命令が実装されたコンピュータ或いは他のプログラム可能設備は、一連の操作ステップを実行することによって、関連の処理を実現し、コンピュータ或いは他のプログラム可能な設備において実行される命令によって、フロー図における一つ或いは複数のフローおよび／またはブロック図における一つ或いは複数のブロックに指定する機能を実現する。
【０１６８】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１６９】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１７０】
81  プロセッサ
82  通信インターフェース
91  プロセッサ
92  通信インターフェース
1011  決定モジュール
1012  第１の送信モジュール
1111  決定モジュール
1112  第１の生成モジュール
1113  第１の送信モジュール
【図１】
2021503251.tif 000003
【図２】
2021503251.tif 000004
【図３】
2021503251.tif 000005
【図４】
2021503251.tif 000006
【図５】
2021503251.tif 000007
【図６】
2021503251.tif 000008
【図７】
2021503251.tif 000009
【図８】
2021503251.tif 000010
【図９】
2021503251.tif 000011
【図１０】
2021503251.tif 000012
【図１１】
2021503251.tif 000013
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
中央ユニット（ＣＵ）は、ユーザ機器（ＵＥ）のＰｃｅｌｌまたはＰＳｃｅｌｌを決定するステップと、
前記ＣＵは、分散ユニット（ＤＵ）にＰＣｅｌｌ/ＰＳＣｅｌｌ変更メッセージを送信するステップとを備え、
前記ＰＣｅｌｌ/ＰＳＣｅｌｌ変更メッセージは、ＰｃｅｌｌまたはＰＳｃｅｌｌとしてハンドオーバする必要があるセルｃｅｌｌのセル識別子を含み、前記ＣＵおよび前記ＤＵは、ともに前記ＵＥに対してサービシングすることを特徴とするプライマリセル（Ｐｃｅｌｌ）またはプライマリセカンダリセル（ＰＳｃｅｌｌ）を管理するための方法。
【請求項２】
前記ＣＵがＤＵにＰＣｅｌｌ/ＰＳＣｅｌｌ変更メッセージを送信した後、
前記ＣＵは、前記ＤＵによって送信されたＰｃｅｌｌまたはＰＳｃｅｌｌハンドオーバに必要なレイヤ２構成情報を受信し、前記レイヤ２構成情報は、ＰｃｅｌｌまたはＰＳｃｅｌｌハンドオーバに必要な構成パラメータ情報を含み、
前記ＣＵは、前記レイヤ２構成情報に従って無線リソース制御ＲＲＣメッセージを生成し、
前記ＣＵは、前記ＲＲＣメッセージを前記ＵＥに送信することを特徴とする請求項１に記載のプライマリセル（Ｐｃｅｌｌ）またはプライマリセカンダリセル（ＰＳｃｅｌｌ）を管理するための方法。
【請求項３】
前記ＣＵは、前記ＲＲＣメッセージを前記ＵＥに送信することは、
前記ＣＵは、前記ＲＲＣメッセージを前記ＤＵに送信することにより、前記ＤＵに前記ＲＲＣメッセージを前記ＵＥに送信させるようにすることを含むことを特徴とする請求項２に記載のプライマリセル（Ｐｃｅｌｌ）またはプライマリセカンダリセル（ＰＳｃｅｌｌ）を管理するための方法。
【請求項４】
ＰＳｃｅｌｌが決定されたものである場合、前記ＣＵは、前記ＲＲＣメッセージを前記ＵＥに送信することは、
ＭｅＮＢを通じて前記ＲＲＣメッセージを前記ＵＥに送信するために、前記ＣＵは、前記ＲＲＣメッセージを、前記ＵＥに対してサービシングするマスターｅＮＢ（ＭｅＮＢ）に送信することを含むことを特徴とする請求項２に記載のプライマリセル（Ｐｃｅｌｌ）またはプライマリセカンダリセル（ＰＳｃｅｌｌ）を管理するための方法。
【請求項５】
前記ＣＵは、前記レイヤ２構成情報に従ってＲＲＣメッセージを生成した後、
前記ＣＵは、前記ＤＵにレイヤ２リセット指示情報を送信し、前記レイヤ２リセット指示情報は、前記ＤＵがレイヤ２リセットを実行することを示すことを特徴とする請求項２に記載のプライマリセル（Ｐｃｅｌｌ）またはプライマリセカンダリセル（ＰＳｃｅｌｌ）を管理するための方法。
【請求項６】
前記ＣＵが前記ＤＵにレイヤ２リセット指示情報を送信した後、
前記ＣＵは、前記ＤＵによって送信されたリセットフィードバックメッセージを受信し、前記リセットフィードバックメッセージは、各無線リソースベアラＤＲＢの新しく割り当てられたダウンリンク送信アドレスを含むことを特徴とする請求項５に記載のプライマリセル（Ｐｃｅｌｌ）またはプライマリセカンダリセル（ＰＳｃｅｌｌ）を管理するための方法。
【請求項７】
前記ＣＵが前記ＲＲＣメッセージを前記ＵＥに送信した後、
前前記ＵＥがＰｃｅｌｌまたはＰＳｃｅｌｌハンドオーバのハンドオーバを完了したことを決定するために、前記ＣＵは、前記ＵＥによって送信されたＲＲＣ再構成完了メッセージを受信し、
前記ＣＵが前記ＵＥによって送信されたＲＲＣ再構成完了メッセージを受信した後、
前記ＣＵは、前記ＤＵにセルハンドオーバ完了メッセージを送信し、前記セルハンドオーバ完了メッセージは、前記ＵＥがＰｃｅｌｌまたはＰＳｃｅｌｌハンドオーバのハンドオーバを完了したことを示すことを特徴とする請求項２に記載のプライマリセル（Ｐｃｅｌｌ）またはプライマリセカンダリセル（ＰＳｃｅｌｌ）を管理するための方法。
【請求項８】
ＣＵがＵＥのＰｃｅｌｌまたはＰＳｃｅｌｌを決定することは、
前記ＣＵは、前記ＵＥに対してサービシングするｃｅｌｌのサービス負荷情報、物理アップリンク制御チャネルＰＵＣＣＨ負荷状態情報および前記ＵＥの信号品質との３種類のパラメータ情報を取得することと、
前記ＣＵは、前記３種類のパラメータ情報によって示す平均パラメータインデックス最良のｃｅｌｌを、ＰｃｅｌｌまたはＰＳｃｅｌｌとして決定することとを含み、
前記ＣＵが、前記ＵＥに対してサービシンするｃｅｌｌのＰＵＣＣＨ負荷状態情報を取得することは、
前記ＣＵは、前記ＤＵにＰＵＣＣＨ負荷報告要求情報を送信することと、
前記ＣＵによって要求されるＰＵＣＣＨ負荷報告要求をＤＵが実行できることを決定するために、ＣＵは、前記ＤＵによって送信されたＰＵＣＣＨ負荷報告応答情報を受信することと、
前記ＣＵは、前記ＤＵによって送信されたＰＵＣＣＨ負荷状態情報を受信することとを含み、
前記ＰＵＣＣＨ負荷報告要求情報は、前記ＵＥに対してサービシンするｃｅｌｌ情報を含むことを特徴とする請求項１から請求項７のいずれか一項に記載のプライマリセル（Ｐｃｅｌｌ）またはプライマリセカンダリセル（ＰＳｃｅｌｌ）を管理するための方法。
【請求項９】
分散ユニット（ＤＵ）は、ユーザ機器（ＵＥ）のＰｃｅｌｌまたはＰＳｃｅｌｌを決定し、
前記ＤＵは、レイヤ２構成情報を生成し、前記レイヤ２構成情報は、ＰｃｅｌｌまたはＰＳｃｅｌｌハンドオーバに必要な構成パラメータ情報を含み、
前記ＤＵは、前記レイヤ２構成情報を中央ユニット（ＣＵ）に送信し、前記ＣＵおよび前記ＤＵは、ともに前記ＵＥに対してサービシングすることを特徴とするプライマリセル（Ｐｃｅｌｌ）またはプライマリセカンダリセル（ＰＳｃｅｌｌ）を管理するための方法。
【請求項１０】
前記ＤＵが前記レイヤ２構成情報をＣＵに送信した後、
前記ＤＵは、前記ＣＵによって送信されたＲＲＣメッセージを受信し、
前記ＤＵは、前記ＲＲＣメッセージを前記ＵＥに送信し、
前記ＤＵが前記レイヤ２構成情報をＣＵに送信した後、
前記ＤＵは、前記ＣＵによって送信されたレイヤ２リセット指示情報を受信し、
前記ＤＵは、前記レイヤ２リセット指示情報に従ってレイヤ２リセットを実行し、
または、
前記ＤＵが、前記ＲＲＣメッセージを前記ＵＥに送信した後、
前記ＵＥがＰｃｅｌｌまたはＰＳｃｅｌｌハンドオーバを完了したことを決定するために、前記ＤＵは、前記ＣＵによって送信されたセルハンドオーバ完了メッセージを受信することを特徴とする請求項９に記載のプライマリセル（Ｐｃｅｌｌ）またはプライマリセカンダリセル（ＰＳｃｅｌｌ）を管理するための方法。
【請求項１１】
前記ＤＵが、前記レイヤ２リセット指示情報に従ってレイヤ２リセットを実行した後、
前記ＤＵは、リセットフィードバックメッセージを生成し、前記リセットフィードバックメッセージは、各無線リソースベアラＤＲＢの新しく割り当てられたダウンリンク送信アドレスを含み、
前記ＤＵは、前記リセットフィードバックメッセージを前記ＣＵに送信することを特徴とする請求項１０に記載のプライマリセル（Ｐｃｅｌｌ）またはプライマリセカンダリセル（ＰＳｃｅｌｌ）を管理するための方法。
【請求項１２】
ＤＵがＵＥのＰｃｅｌｌまたはＰＳｃｅｌｌを決定することは、
前記ＤＵは、前記ＵＥの無線リソース管理ＲＲＭ測定情報およびｃｅｌｌのアップリンクチャネル推定結果との２種類のパラメータ情報を取得することと、
前記ＤＵは、ＰｃｅｌｌまたはＰＳｃｅｌｌとして、前記２種類のパラメータ情報によって示す平均パラメータインデックス最良のｃｅｌｌを決定することとを含むことを特徴とする請求項９から請求項１１のいずれか一項に記載のプライマリセル（Ｐｃｅｌｌ）またはプライマリセカンダリセル（ＰＳｃｅｌｌ）を管理するための方法。
【請求項１３】
前記ＤＵが前記ＵＥのＲＲＭ測定情報を取得することは、
前記ＤＵは、前記ＣＵに前記ＵＥの機器識別子を運ぶＲＲＭ測定要求メッセージを送信することと、
前記ＣＵが前記ＣＵに必要な測定を実行できることを決定するために、前記ＤＵは、前記ＣＵによって送信されたＲＲＭ測定応答情報を受信することと、
前記ＤＵは、前記ＣＵによって送信された前記ＵＥの最新のＲＲＭ測定結果を受信することとを含むことを特徴とする請求項１２に記載のプライマリセル（Ｐｃｅｌｌ）またはプライマリセカンダリセル（ＰＳｃｅｌｌ）を管理するための方法。
【請求項１４】
コンピュータ可読プログラムを格納するように構成されたメモリと、
請求項１から請求項８のいずれか一項に記載のプライマリセル（Ｐｃｅｌｌ）またはプライマリセカンダリセル（ＰＳｃｅｌｌ）を管理するための方法を実施するためにコンピュータ可読プログラムを実行するためにメモリを読み取るように構成されたプロセッサとを備えることを特徴とするプライマリセル（Ｐｃｅｌｌ）またはプライマリセカンダリセル（ＰＳｃｅｌｌ）を管理するための装置。
【請求項１５】
コンピュータ可読プログラムを格納するように構成されたメモリと、
請求項９から請求項１３のいずれか一項に記載のプライマリセル（Ｐｃｅｌｌ）またはプライマリセカンダリセル（ＰＳｃｅｌｌ）を管理するための方法を実施するためにコンピュータ可読プログラムを実行するためにメモリを読み取るように構成されたプロセッサとを備えることを特徴とするプライマリセル（Ｐｃｅｌｌ）またはプライマリセカンダリセル（ＰＳｃｅｌｌ）を管理するための装置。
【国際調査報告】
2021503251.tif 000014
2021503251.tif 000015
2021503251.tif 000016
2021503251.tif 000017